(57)【特許請求の範囲】
【請求項１】
ユーザの識別情報を含む画像情報を端末装置から受信する画像情報受信部と、
前記画像情報受信部によって受信された画像情報を記憶する記憶部と、
前記画像情報受信部によって画像情報を受信したときに、計時を開始する計時部と、
ユーザの識別情報を認証することに基づいてログイン処理を行うと共に、ログアウト処理を行うログイン／ログアウト処理部と、
警告を出力する出力部と、
前記記憶部に記憶される画像情報に含まれる識別情報と、前記ログイン／ログアウト処理部によってログイン処理が行われた場合に認証された識別情報とが一致するか否かを判断する判断部と、
前記判断部によって各識別情報が一致していると判断され、且つ、前記計時部によって計時される時間が所定の時間に到達した場合に、警告を出力するよう前記出力部を制御する警告制御部と、
画像情報に基づいて被画像形成媒体に画像を形成するエンジン部と、
記憶部制御部と、を備え、
前記記憶部制御部は、前記判断部によって各識別情報が一致していると判断され、且つ、前記計時部によって計時される時間が所定の時間に到達した場合には、前記エンジン部によって画像情報に基づく画像が被画像形成媒体に形成されるまで、及び、前記ログイン／ログアウト処理部によってログアウト処理が行われるまでは、画像情報を前記記憶部から削除しない、
画像形成装置。
【請求項２】
前記記憶部制御部は、前記判断部によって各識別情報が一致していると判断され、且つ、前記エンジン部によって画像情報に基づく画像が被画像形成媒体に形成された場合に、当該画像情報を前記記憶部から削除する
請求項１に記載の画像形成装置。
【請求項３】
前記記憶部制御部は、前記警告制御部が警告を出力するよう前記出力部を制御し、且つ、前記エンジン部によって画像情報に基づく画像が被画像形成媒体に形成されずに、前記ログイン／ログアウト処理部によってログアウト処理が行われた場合には、当該画像情報を記憶部から削除する
請求項２に記載の画像形成装置。
【発明の詳細な説明】
【技術分野】
【０００１】
本発明は、用紙等の被画像形成媒体に画像を形成する画像形成装置に関する。
【背景技術】
【０００２】
複合機等の画像形成装置には、秘匿性の高い文書を印刷する場合に、プライベートプリントを行えるものがある。プライベートプリントは、例えば、以下のような流れで実行される。まず、ユーザは、パーソナルコンピュータ等を使用して文書を作成し、その文書（画像）に対応する情報（画像情報）をパーソナルコンピュータから複合機に送信させる。ここで、複合機に送信される画像情報には、用紙に画像を形成するときに使用される識別情報が付加されている。複合機は、画像情報をパーソナルコンピュータから受信すると、その画像情報を記憶部に記憶する。ユーザは、複合機まで移動して、記憶部に記憶される画像情報に基づく画像を用紙に形成するために、複合機に識別情報を入力する。すると、複合機は、ユーザによって入力された識別情報と、記憶部に記憶される画像情報に付加された識別情報とを比較し、各識別情報が一致する場合には、画像情報に基づく画像を用紙に形成する。
【０００３】
このようなプライベートプリントを行える複合機には、画像情報を記憶する記憶部の容量を確保するために、画像情報を記憶部に記憶しておくことができる期間が設定され、設定された期間を超えた場合に、画像情報を記憶部から自動的に削除するものがある（特許文献１参照）。
【先行技術文献】
【特許文献】
【０００４】
【特許文献１】特開２０００−２７６３１４号公報
【発明の概要】
【発明が解決しようとする課題】
【０００５】
しかしながら、特許文献１に記載された発明では、記憶部に記憶される画像情報に基づく画像が用紙に形成されていない場合でも、設定された期限に到達すると画像情報が記憶部から削除されてしまう。この場合、特許文献１に記載された発明では、画像情報に基づく画像を用紙に形成する場合には、再度、パーソナルコンピュータから複合機に画像情報を送信しなければならないため、手間がかかってしまう。
【０００６】
本発明は、画像情報に基づく画像を形成する場合に、手間がかかることを抑制することができる画像形成装置を提供することを目的とする。
【課題を解決するための手段】
【０００７】
本発明は、ユーザの識別情報を含む画像情報を端末装置から受信する画像情報受信部と、前記画像情報受信部によって受信された画像情報を記憶する記憶部と、前記画像情報受信部によって画像情報を受信したときに、計時を開始する計時部と、ユーザの識別情報を認証することに基づいてログイン処理を行うと共に、ログアウト処理を行うログイン／ログアウト処理部と、警告を出力する出力部と、前記記憶部に記憶される画像情報に含まれる識別情報と、前記ログイン／ログアウト処理部によってログイン処理が行われた場合に認証された識別情報とが一致するか否かを判断する判断部と、前記判断部によって各識別情報が一致していると判断され、且つ、前記計時部によって計時される時間が所定の時間に到達した場合に、警告を出力するよう前記出力部を制御する警告制御部と、を備える画像形成装置に関する。
【０００８】
また、画像形成装置は、画像情報に基づいて被画像形成媒体に画像を形成するエンジン部と、前記判断部によって各識別情報が一致していると判断され、且つ、前記エンジン部によって画像情報に基づく画像が被画像形成媒体に形成された場合に、当該画像情報を前記記憶部から削除する記憶部制御部と、を備えることが好ましい。
【０００９】
また、前記記憶部制御部は、前記警告制御部が警告を出力するよう前記出力部を制御し、且つ、前記エンジン部によって画像情報に基づく画像が被画像形成媒体に形成されずに、前記ログイン／ログアウト処理部によってログアウト処理が行われた場合には、当該画像情報を記憶部から削除することが好ましい。
【００１０】
また、前記記憶部制御部は、前記ログイン／ログアウト処理部によってログイン処理が行われずに、前記計時部による計時される時間が所定の時間に到達した場合には、前記記憶部に記憶される画像情報を削除することが好ましい。
【発明の効果】
【００１１】
本発明によれば、画像情報に基づく画像を形成する場合に、手間がかかることを抑制することができる画像形成装置を提供することができる。
【図面の簡単な説明】
【００１２】
【図１】画像形成システムの全体構成を説明するための図である。
【図２】画像形成装置の一実施形態に係るコピー機の全体構成を説明するための図である。
【図３】コピー機の機能構成を示すブロック図である。
【図４】複合機の動作について説明するためのフローチャートである。
【発明を実施するための形態】
【００１３】
以下、図面を参照して、本発明の画像形成装置の一実施形態について説明する。図１は、画像形成システム３００の全体構成を説明するための図である。図２は、画像形成装置の一実施形態に係る複合機１の全体構成を説明するための図である。
【００１４】
図１に示すように、画像形成システム３００は、画像形成装置の一例としての複合機１と、端末装置２００とを備える。
端末装置２００は、パーソナルコンピュータ等で構成される。端末装置２００は、ローカルエリアネットワーク等の通信ネットワークＮを介して複合機１との間で通信を行う。端末装置２００では、ユーザの操作に基づいて文書が作成される。作成された文書を用紙Ｔ（被画像形成媒体）に印刷する場合、端末装置２００は、文書（画像）に対応する画像情報を、通信ネットワークＮを介して複合機１に送信する。端末装置２００は、複合機１にプライベートプリントを行わせる場合には、画像情報と共に、画像情報に対応させた識別情報を送信する。識別情報は、ユーザを識別するためのＩＤ（ｉｄｅｎｔｉｆｉｃａｔｉｏｎ）情報、パスワード等である。なお、識別情報は、画像情報に付加されることも可能である。
【００１５】
図２に示すように、複合機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏ  Ｄｏｃｕｍｅｎｔ  Ｆｅｅｄｅｒ）であり、原稿載置部１１と、第１送りローラ１２と、ガイド１３と、タイミングローラ対１４と、原稿排出部１５とを備える。第１送りローラ１２は、原稿載置部１１に載置された原稿Ｇを１枚ずつ順にタイミングローラ対１４に供給する。タイミングローラ対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１６】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図２に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１７】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図２において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１８】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像情報を得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサである。
【００１９】
用紙搬送部３０は、第２送りローラ３１と、第３送りローラ３２と、レジストローラ対３３と、用紙排出部３４とを備える。第２送りローラ３１は、給紙カセット３６に収容される用紙Ｔ（被画像形成媒体）を転写部５０に供給する。第３送りローラ３２は、手差しトレイ３７に載置される用紙Ｔ（被画像形成媒体）を転写部５０に供給する。レジストローラ対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラ対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２０】
画像形成部４０は、感光体ドラム４１と、帯電部４２と、レーザスキャナユニット４３と、現像器４４と、クリーニング部４５と、トナーカートリッジ４６と、１次転写ローラ４７と、中間転写ベルト４８と、対向ローラ４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザスキャナユニット４３と、現像器４４と、クリーニング部４５とが配置される。帯電部４２は、感光体ドラム４１の表面を帯電させる。レーザスキャナユニット４３は、感光体ドラム４１の表面から離れて配置され、原稿読取部２０によって読み取られた原稿Ｇに関する画像情報に基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２１】
１次転写ローラ４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラ４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラ４９は、環状形状の中間転写ベルト４８の内側に配置され、中間転写ベルト４８を図２に示す矢印Ａ方向に進行させるための駆動ローラである。
【００２２】
転写部５０は、２次転写ローラ５１を備える。２次転写ローラ５１は、中間転写ベルト４８における対向ローラ４９とは反対側に配置され、中間転写ベルト４８の一部分を対向ローラ４９との間に挟みこむ。さらに、２次転写ローラ５１は、中間転写ベルト４８に１次転写されたトナー画像を用紙Ｔに２次転写させる。
【００２３】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２４】
次に、複合機１の機能構成について説明する。図３は、複合機１の機能構成を示すブロック図である。
複合機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。エンジン部３は、画像情報に基づいて用紙Ｔに画像を形成する。なお、図２を用いて説明した構成要素については、その説明を省略する。
さらに、複合機１は、上述した機能構成に加えて、操作部７０と、記憶部８０と、インターフェース部１００と、計時部１１０と、制御部９０とを備える。
【００２５】
操作部７０は、タッチパネル７１、テンキー（図示せず）及びスタートキー（図示せず）等を備える。タッチパネル７１は、出力部として機能する。すなわち、タッチパネル７１は、後述する警告制御部９３によって制御されることにより、警告を出力する。ここで、タッチパネル７１が出力する警告は、プライベートプリントが行われる画像情報に基づいて用紙Ｔに画像が形成されていない（プライベートプリントが実行されていない）旨を示す警告表示である。また、タッチパネル７１は、種々の機能（一例として、印刷倍率の設定機能や、複数のページを１枚の用紙Ｔに割り付ける機能（２ｉｎ１等））が割り当てられた複数のキー等を表示する。タッチパネル７１に表示されたキーは、種々の機能のうちのいずれかを複合機１に実行させるために操作される。テンキーは、印刷部数等の数字を入力するために操作される。スタートキーは、印刷を実行させるために操作される。操作部７０は、いずれかのキーが操作されることにより、このキーが操作されたことを表す信号を制御部９０に供給する。
【００２６】
記憶部８０は、ハードディスクや半導体メモリ等から構成される。記憶部８０は、後述する画像情報受信部１０１によって受信された画像情報を記憶する。また、記憶部８０は、原稿読取部２０によって読み取られた原稿Ｇに基づく画像情報を記憶する。また、記憶部８０は、複合機１において利用される制御プログラム、及びこの制御プログラムによって利用されるデータ等を記憶する。
【００２７】
インターフェース部１００は、通信ネットワークＮに接続される。そのインターフェース部１００は、画像情報受信部１０１を備える。画像情報受信部１０１は、ユーザの識別情報を含む画像情報を端末装置２００から受信する。画像情報受信部１０１によって受信された画像情報は、記憶部８０に記憶される。
【００２８】
計時部１１０は、画像情報受信部１０１によって画像情報を受信したときに、計時を開始する。すなわち、計時部１１０は、画像情報受信部１０１によって画像情報を受信したと制御部９０によって判断されたときから計時を開始する。
【００２９】
制御部９０は、原稿搬送部１０、原稿読取部２０、エンジン部３、操作部７０等を制御する。
また、制御部９０は、ログイン／ログアウト処理部９１と、判断部９２と、警告制御部９３と、記憶部制御部９４とを備える。
【００３０】
ログイン／ログアウト処理部９１は、ユーザの識別情報を認証することに基づいてログイン処理を行うと共に、ログアウト処理を行う。すなわち、ログイン／ログアウト処理部９１は、ユーザの操作に基づいて複合機１に入力された識別情報と、記憶部８０に予め記憶される識別情報とが一致する場合に、複合機１へのログイン処理を行う。また、ログイン／ログアウト処理部９１は、ユーザの操作に基づいて、複合機１からのログアウト処理を実行する。複合機１に入力される識別情報は、例えば、ＩＣ（Ｉｎｔｅｇｒａｔｅｄ  Ｃｉｒｃｕｉｔ）カード読取装置によってＩＣカードに記憶される識別情報を読み取ることにより入力される。
【００３１】
判断部９２は、記憶部８０に記憶される画像情報に含まれる識別情報と、ログイン／ログアウト処理部９１によってログイン処理が行われた場合に認証された識別情報とが一致するか否かを判断する。画像情報に含まれる識別情報と、ログイン／ログアウト処理部９１によって認証された識別情報とが一致していると判断部９２によって判断された場合には、エンジン部３は、一致していると判断された識別情報と同一の識別情報を含む画像情報に基づいて、用紙Ｔに画像を形成することが可能になる。すなわち、エンジン部３は、プライベートプリントを行うことが可能になる。一方、画像情報に含まれる識別情報と、ログイン／ログアウト処理部９１によって認証された識別情報とが一致していないと判断部９２によって判断された場合には、エンジン部３は、プライベートプリントを行うことができない。
【００３２】
警告制御部９３は、判断部９２によって各識別情報が一致していると判断され、且つ、計時部１１０によって計時される時間が所定の時間に到達した場合に、警告を出力するようタッチパネル７１を制御する。すなわち、警告制御部９３は、エンジン部３によってプライベートプリントを行うことが可能な状態において、計時部１１０によって計時される時間が所定の時間に到達した場合には、プライベートプリントが行われていないことを示す警告を表示するようタッチパネル７１を制御する。ここで、所定の時間は、記憶部８０に記憶される画像情報の削除を行う時間（画像情報の保持期限）である。その所定の時間は、ユーザによって適宜設定される。
【００３３】
記憶部制御部９４は、判断部９２によって各識別情報が一致していると判断され、且つ、エンジン部３によって画像情報に基づく画像が用紙Ｔに形成された場合に、その画像情報を記憶部８０から削除する。すなわち、記憶部制御部９４は、警告制御部９３の制御に基づいてタッチパネル７１に警告を表示させた後に、プライベートプリントが行われた場合には、プライベートプリントが行われた画像情報を記憶部８０から削除する。したがって、記憶部制御部９４は、計時部１１０によって計時される時間が所定の時間に到達した場合でも、ログイン／ログアウト処理部９１によってログイン処理が行われていれば、計時部１１０による計時が所定の時間に到達した状態になっている画像情報を記憶部８０から削除しない。また、記憶部制御部９４は、警告制御部９３の制御に基づいてタッチパネル７１に警告を表示させる前に、プライベートプリントが行われた場合には、プライベートプリントが行われた画像情報を記憶部８０から削除する。
【００３４】
また、記憶部制御部９４は、警告制御部９３が警告を出力するようタッチパネル７１を制御し、且つ、エンジン部３によって画像情報に基づく画像が用紙Ｔに形成されずに、ログイン／ログアウト処理部９１によってログアウト処理が行われた場合には、その画像情報を記憶部８０から削除する。すなわち、記憶部制御部９４は、タッチパネル７１に警告が表示されたにもかかわらず、プライベートプリントが行われずにログアウト処理が行われた場合には、警告の対象になっている画像情報を記憶部８０から削除する。
【００３５】
また、記憶部制御部９４は、ログイン／ログアウト処理部９１によってログイン処理が行われずに、計時部１１０により計時される時間が所定の時間に到達した場合には、記憶部８０に記憶される画像情報を削除する。すなわち、記憶部制御部９４は、プライベートプリントが行われる画像情報を記憶部８０が記憶しているにもかかわらず、ログイン処理が行われずに、計時部１１０によって計時される時間が所定の時間に到達した場合には、計時部１１０による計時の対象となっている画像情報を記憶部８０から削除する。
【００３６】
次に、本実施形態における複合機１の動作について説明する。図４は、複合機１の動作について説明するためのフローチャートである。
【００３７】
ステップＳＴ１において、画像情報受信部１０１は、識別情報を含む画像情報を端末装置２００から受信する。
【００３８】
ステップＳＴ２において、記憶部８０は、記憶部制御部９４の制御に基づいて、画像情報受信部１０１によって受信された画像情報を記憶する。
【００３９】
ステップＳＴ３において、計時部１１０は、ステップＳＴ１にて画像情報を受信したときに、計時を開始する。
【００４０】
ステップＳＴ４において、ログイン／ログアウト処理部９１は、ログイン処理を行ったか否かを判断する。ログイン処理を行っていない場合（Ｎｏ）には、処理は、ステップＳＴ５に進む。一方、ログイン処理を行っている場合（Ｙｅｓ）には、処理は、ステップＳＴ６に進む。
【００４１】
ステップＳＴ５において、記憶部制御部９４は、ログイン／ログアウト処理部９１によってログイン処理が行われない場合には、計時部１１０によって計時される時間が所定の時間に到達したか否かを判断する。計時される時間が所定の時間に到達しない場合（Ｎｏ）には、処理は、ステップＳＴ４に戻る。一方、計時される時間が所定の時間に到達した場合（Ｙｅｓ）には、処理は、ステップＳＴ１２に進む。
【００４２】
ステップＳＴ４にて「Ｙｅｓ」と判断された場合、ステップＳＴ６において、判断部９２は、記憶部８０に記憶される画像情報に含まれる識別情報と、ログイン／ログアウト処理部９１によってログイン処理が行われた場合に認証された識別情報とが一致するか否かを判断する。各識別情報が一致しない場合（Ｎｏ）には、処理は、ステップＳＴ７に進む。一方、各識別情報が一致する場合（Ｙｅｓ）には、処理は、ステップＳＴ８に進む。
【００４３】
ステップＳＴ７においては、画像情報を送信したユーザと、ログイン処理を行わせたユーザとが異なるために、複合機１はプライベートプリントを行うことができない。このため、複合機１は、ユーザの操作に基づいて、プライベートプリントを除く他の処理（例えば、原稿Ｇのスキャンやコピー等）を行う。なお、ステップＳＴ６にて「Ｎｏ」と判断された場合には、複合機１は、ステップＳＴ７の処理を行うことなく、動作を終了してもよい。
【００４４】
ステップＳＴ６にて「Ｙｅｓ」と判断された場合、ステップＳＴ８において、記憶部制御部９４は、ステップＳＴ６にて判断された識別情報を含む画像情報に基づいて、画像が用紙Ｔに形成されたか（プライベートプリントが行われたか）否かを判断する。画像が形成されている場合（Ｙｅｓ）には、処理は、ステップＳＴ１２に進む。一方、画像が形成されていない場合（Ｎｏ）には、処理は、ステップＳＴ９に進む。
【００４５】
ステップＳＴ９において、警告制御部９３は、ログイン処理が行われている場合に、計時部１１０によって計時される時間が所定の時間に到達したか否かを判断する。計時される時間が所定の時間に到達していない場合（Ｎｏ）には、処理は、ステップＳＴ１１に進む。一方、計時される時間が所定の時間に到達している場合（Ｙｅｓ）には、処理は、ステップＳＴ１０に進む。
【００４６】
ステップＳＴ１０において、警告制御部９３は、プライベートプリントが行われていない旨を示す警告を表示するようタッチパネル７１を制御する。
【００４７】
ステップＳＴ１１において、ログイン／ログアウト処理部９１は、ログアウト処理を行ったか否かを判断する。ログアウト処理を行っていない場合（Ｎｏ）には、処理は、ステップＳＴ８に戻る。一方、ログアウト処理を行っている場合（Ｙｅｓ）には、処理は、ステップＳＴ１２に進む。
【００４８】
ステップＳＴ１２において、記憶部制御部９４は、ステップＳＴ５にて計時される時間が所定の時間に到達していると判断された場合のその計時の対象となる画像情報、プライベートプリントが行われた画像情報、及び、ステップＳＴ１０の警告が行われているにもかかわらず、ログイン／ログアウト処理部９１によってログアウト処理が行われた場合のその警告の対象になっている画像情報を、記憶部８０から削除する。
【００４９】
以上説明したように、本実施形態の複合機１によれば、以下の効果が奏される。
すなわち、本実施形態の複合機１は、判断部９２によって各識別情報が一致していると判断され、且つ、計時部１１０によって計時される時間が所定の時間に到達した場合に、プライベートプリントが行われていない旨を示す警告を出力する。すなわち、複合機１は、計時部１１０によって計時される時間が所定の時間に到達した場合でも、計時の対象となっている画像情報を記憶部８０から削除せずに、タッチパネル７１に警告を表示させる。したがって、複合機１は、ユーザに対して、プライベートプリントを行うことを促すことができる。この場合、画像情報が記憶部８０から削除されていないので、複合機１は、画像情報をパーソナルコンピュータから再度送信させる作業をユーザに行わせる必要がなく、手間がかかることを抑えることができる。
【００５０】
また、複合機１は、判断部９２によって各識別情報が一致していると判断され、且つ、エンジン部３によって画像情報に基づく画像が用紙Ｔに形成された場合に、その画像情報を記憶部８０から削除する。すなわち、複合機１は、プライベートプリントが行われた画像情報を記憶部８０から削除する。したがって、複合機１は、記憶部８０の記憶容量が少なくなることを抑えることができる。
【００５１】
また、複合機１は、警告制御部９３が警告を出力するよう出力部を制御し、且つ、エンジン部３によって画像情報に基づく画像が用紙Ｔに形成されずに、ログイン／ログアウト処理部９１によってログアウト処理が行われた場合には、その画像情報を記憶部８０から削除する。したがって、複合機１は、記憶部８０の記憶容量が少なくなることを抑えることができる。
【００５２】
また、複合機１は、ログイン／ログアウト処理部９１によってログイン処理が行われずに、計時部１１０によって計時される時間が所定の時間に到達した場合には、記憶部８０に記憶される画像情報を削除する。したがって、複合機１は、記憶部８０の記憶容量が少なくなることを抑えることができる。
【００５３】
なお、本発明は、上述した実施形態に限定されることはなく、種々の形態で実施することができる。
上述した実施形態では、出力部がタッチパネル７１によって構成されることについて説明した。しかしながら、出力部は、この実施形態に限定されることはなく、例えば、プライベートプリントが行われていないことを示す警報音や警報音声を出力するスピーカであってもよい。
【００５４】
また、本実施形態の複合機１は、カラーコピー機であるが、この形態に限定されることはなく、モノクロコピー機であってもよい。
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態の複合機１は、用紙Ｔの片面を印刷する構成であるが、これに限定されることはなく、用紙の両面を印刷する構成であってもよい。
【００５５】
また、本発明の画像形成装置は、上述した複合機１（コピー機能やプリンタ機能に加えて、ファクシミリ機能やスキャナ機能を備える）に限定されることはない。すなわち、本発明の画像形成装置は、コピー機やプリンタであってもよい。
また、本発明の画像形成装置によってトナー画像が定着される被画像形成媒体は用紙Ｔに限定されることはなく、例えば、ＯＨＰ（オーバヘッドプロジェクタ）シート等のフィルムシートであってもよい。
【符号の説明】
【００５６】
１…複合機（画像形成装置）、７１…タッチパネル、８０…記憶部、９１…ログイン／ログアウト処理部、９２…判断部、９３…警告制御部、９４…記憶部制御部、１０１…画像情報受信部、１１０…計時部
【図１】
0005487087.tif 000002
【図２】
0005487087.tif 000003
【図３】
0005487087.tif 000004
【図４】
0005487087.tif 000005